(57)【要約】【課題】操作を簡略化することができるディスク装置を提供すること。【解決手段】ディスクを回転させる駆動手段２１、ないし、回転する前記ディスクの再生／記録を行う情報読取／書込手段２２が設けられ、ディスクを内部に収納するディスク収納部と、ディスク収納部にディスクを収納可能に開放および閉塞する開閉手段２５、この開閉手段２５を含む装置全体を制御する制御手段７とを備えたディスク装置１であって、制御手段７は、ディスクに設けられ、ディスクの識別情報を発信する無線情報発信器と通信して、識別情報を取得する識別情報取得部７３２と、取得した識別情報から、ディスクが再生または記録可能であるか否かを判定する情報判定部７３３と、再生または記録が可能であると判定されると、開閉手段２５に対して、ディスク収納部を開放する制御信号を生成出力する開動作制御部７３１，７４３とを備える。【選択図】  図４
2006147027.tif 000002
【特許請求の範囲】
【請求項１】
ディスクを回転させる駆動手段、ないし、回転する前記ディスクに記録された情報の再生および／または前記ディスクへの情報の記録を行う情報読取／書込手段が設けられ、前記ディスクを内部に収納するディスク収納部と、前記ディスク収納部に前記ディスクを収納可能に開放および閉塞する開閉手段と、この開閉手段を含む装置全体を制御する制御手段とを備えたディスク装置であって、
前記制御手段は、
前記ディスクに設けられ、当該ディスクの識別情報を発信する無線情報発信器と通信して、前記識別情報を取得する識別情報取得部と、
取得した前記識別情報から、前記ディスクが再生または記録可能であるか否かを判定する情報判定部と、
前記情報判定部により再生または記録が可能であると判定されると、前記開閉手段に対して、前記ディスク収納部を開放する制御信号を生成出力する開動作制御部とを備えることを特徴とするディスク装置。
【請求項２】
請求項１に記載のディスク装置において、
前記制御手段と電気的に接続され、前記ディスク収納部に前記ディスクが装着されたことを検出するディスク検出部を備え、
前記制御手段は、前記ディスク検出部により前記ディスク収納部に前記ディスクが装着されたことが検出されると、前記開閉手段に対して、前記ディスク収納部を閉塞する制御信号を生成出力する閉動作制御部を備えることを特徴とするディスク装置。
【請求項３】
請求項２に記載のディスク装置において、
前記制御手段は、前記ディスク検出部により前記ディスク収納部に前記ディスクが装着されたことが検出されると、前記識別情報取得部による前記識別情報の取得を規制する情報取得規制部を備えることを特徴とするディスク装置。
【請求項４】
請求項１から請求項３のいずれかに記載のディスク装置において、
前記制御手段と電気的に接続され、前記ディスク収納部に前記ディスクが装着されたことを検出するディスク検出部を備え、
前記制御手段は、前記ディスク検出部により前記ディスク収納部に前記ディスクが装着されたことが検出されると、当該ディスク収納部に収納された前記ディスクの識別情報を再取得する情報再取得部を備えることを特徴とするディスク装置。
【請求項５】
請求項１から請求項４のいずれかに記載のディスク装置において、
複数の音質および／または画質の設定情報が記憶された記憶手段を備え、
前記制御手段は、
前記識別情報に基づいて、前記記憶手段に記憶された設定情報を読み出す設定情報取得部と、
取得された設定情報に基づいて、前記ディスク再生時の設定を行う再生設定部とを備えることを特徴とするディスク装置。
【請求項６】
請求項５に記載のディスク装置において、
前記ディスクの再生時の設定情報を含む詳細情報を提供する情報提供装置とネットワークを介して接続可能なインターフェースを備え、
前記制御手段は、前記識別情報に基づく詳細情報を、前記インターフェースを介して、前記情報提供装置から取得する詳細情報取得部を備え、
前記再生設定部は、取得した前記詳細情報に含まれる設定情報に基づいて、前記ディスク再生時の設定を行うことを特徴とするディスク装置。
【発明の詳細な説明】
【技術分野】
【０００１】
本発明は、ディスクを回転させる駆動手段、ないし、回転する前記ディスクに記録された情報の再生および／または前記ディスクへの情報の記録を行う情報読取／書込手段が設けられ、前記ディスクを内部に収納するディスク収納部と、前記ディスク収納部に前記ディスクを収納可能に開放および閉塞する開閉手段、この開閉手段を含む装置全体を制御する制御手段とを備えたディスク装置に関する。
【背景技術】
【０００２】
従来、ＣＤ（Compact Disc）およびＤＶＤ（Digital Versatile Disc）等のディスク型記録媒体（以下、「ディスク」と略す。）に記録された音声情報および映像情報を再生したり、当該ディスクに音声情報および画像情報を記録するディスク装置が知られている。このようなディスク装置は、ディスク収納部と、当該ディスク収納部に収納されたディスクを回転させるモータ等の駆動手段と、回転するディスクから情報を読み取ったり、あるいは、当該ディスクに情報を書き込むピックアップレンズやレーザ発振器等で構成される光ピックアップ等の情報読取／書込手段とを備えて構成される。
【０００３】
このようなディスク装置として、フロントローディングタイプのディスク収納部を有するディスク装置が知られている（例えば、特許文献１参照）。また、ディスク収納部を覆うように設けられた蓋部を回動させてディスク収納部を開放および閉塞するトップローディングタイプのディスク装置が知られている（例えば、特許文献２参照）。
【０００４】
このうち、特許文献１に記載されているようなフロントローディングタイプのディスク装置は、使用者のボタン操作により、ディスク収納部からディスクトレイが突出する。そして、使用者は、ディスクトレイにディスクを設置した後、さらにボタンを操作することによって、ディスクトレイがディスク収納部に収納され、ディスク装置は、当該ディスクに記録された情報の再生および当該ディスクに対する情報の記録が可能となる。
また、特許文献２に記載されているようなトップローディングタイプのディスク装置は、使用者のボタン操作等により、ディスク収納部の端部と係合し、当該ディスク収納部を覆う蓋部が、ディスク収納部の形成方向に沿った所定の軸を中心に回動して、ディスク収納部を開放する。そして、ディスク収納部にディスクを収納した後、ボタン操作または使用者により蓋部が閉じられると、ディスク装置は、ディスクに記録された情報の再生または当該ディスクに対する情報の記録が可能となる。
【０００５】
【特許文献１】特開平８−３３５３８５号公報
【特許文献２】特開２００３−７７２６２号公報
【発明の開示】
【発明が解決しようとする課題】
【０００６】
しかしながら、特許文献１および特許文献２に記載のそれぞれのディスク装置は、ディスク収納部にディスクを収納する際に、ディスク収納部を開放および閉塞させるためのボタン操作等が必要となるため、不慣れな使用者にとって、操作がしづらいという問題がある。特に、近年のディスク装置には、様々な機能を有効にするボタンおよびスイッチ類が多数設けられており、不慣れな使用者にとっては、操作に習熟するまでに、ディスク装置の使用を断念する場合がある。このため、簡単に使用することができるディスク装置が要望されている。
【０００７】
本発明の目的は、操作を簡略化することができるディスク装置を提供することである。
【課題を解決するための手段】
【０００８】
前記した目的を達するために、本発明のディスク装置は、ディスクを回転させる駆動手段、ないし、回転する前記ディスクに記録された情報の再生および／または前記ディスクへの情報の記録を行う情報読取／書込手段が設けられ、前記ディスクを内部に収納するディスク収納部と、前記ディスク収納部に前記ディスクを収納可能に開放および閉塞する開閉手段と、この開閉手段を含む装置全体を制御する制御手段とを備えたディスク装置であって、前記制御手段は、前記ディスクに設けられ、当該ディスクの識別情報を発信する無線情報発信器と通信して、前記識別情報を取得する識別情報取得部と、取得した前記識別情報から、前記ディスクが再生または記録可能であるか否かを判定する情報判定部と、前記情報判定部により再生または記録が可能であると判定されると、前記開閉手段に対して、前記ディスク収納部を開放する制御信号を生成出力する開動作制御部とを備えることを特徴とする。
【０００９】
ここで、ディスク装置としては、ディスクが設置されるトレイを備え、当該トレイが、開閉手段によってディスク収納部から突出するようにスライドして、当該ディスク収納部を開放し、また、ディスク収納部に対して没入するようにスライドして、当該ディスク収納部を閉塞するローディングタイプのディスク装置が挙げられる。また、ディスク収納部に装着されたディスクを覆う蓋部を備え、当該蓋部が、開閉手段によって所定の軸を中心に回動して、ディスクを収納できるように、ディスク収納部を開閉するトップローディングタイプのディスク装置を例示することができる。
また、ディスクは、ＣＤ（Compact Disc）およびＤＶＤ（Digital Versatile Disc）等のディスク型記録媒体を挙げることができる。
【００１０】
本発明によれば、ディスク装置は、ディスクの識別情報を発信する無線情報発信器と通信して、当該ディスクを再生または記録が可能であれば、制御手段により、開閉手段に制御信号を出力して、ディスク収納部を開放させることができる。これによれば、不慣れな使用者であってもディスク収納部へのディスクの装着を容易に行うことができる。従って、使用者によるディスク収納部の開放操作を不要とすることができ、ディスク再生または記録に係る操作を簡略化することができる。
【００１１】
すなわち、ディスク装置の制御手段は、識別情報取得部、情報判定部および開動作制御部を備えて構成され、識別情報取得部が、ディスクの無線情報発信器から発信される識別情報を取得し、取得した識別情報から、情報判定部が、当該ディスクが再生または記録が可能であるかを判定し、再生または記録が可能であると判定した場合には、開動作制御部が、開閉手段に、ディスク収納部を開放させる制御信号を出力する。この制御信号が入力した開閉手段により、ディスク収納部が開放するので、ディスク収納部にディスクを装着する際に、使用者がボタン操作等を行う必要を無くすことができ、操作の簡略化を図ることができる。
【００１２】
本発明では、前記制御手段と電気的に接続され、前記ディスク収納部に前記ディスクが装着されたことを検出するディスク検出部が設けられ、前記制御手段は、前記ディスク検出部により前記ディスク収納部に前記ディスクが装着されたことが検出されると、前記開閉手段に対して、前記ディスク収納部を閉塞する制御信号を生成出力する閉動作制御部を備えることが好ましい。
本発明によれば、ディスク検出部が、ディスク収納部にディスクが収納されたことを検出すると、制御系の閉動作制御部が、開閉手段に制御信号を出力して、当該開閉手段により、ディスク収納部を閉動作させる。これによれば、ディスク収納部へのディスクの装着に応じて、ディスク収納部が閉塞されるので、当該ディスク収納部の閉動作に伴う使用者の操作を不要にすることができる。従って、操作を簡略化できるディスク装置を提供することができる。
また、前述の開動作制御部と合わせて、ディスク収納部の開動作および閉動作を、自動的に行うことができる。従って、使用者の操作を一層簡略化することができる。
【００１３】
本発明では、前記制御手段は、前記ディスク検出部により前記ディスク収納部に前記ディスクが装着されたことが検出されると、前記識別情報取得部による前記識別情報の取得を規制する情報取得規制部を備えることが好ましい。
本発明によれば、ディスク検出部が、ディスク収納部にディスクが装着されたことを検出すると、情報取得規制部は、当該ディスクに設けられた無線情報発信器との通信による識別情報の取得を規制する。これによれば、ディスク収納部に装着されたディスク以外のディスクから識別情報が取得されることを防ぐことができる。従って、新たな識別情報を受信することによって生じるディスク装置の誤動作を抑制することができる。
また、識別情報取得部によるディスクの識別情報の恒常的な受信を行うことがなくなるので、ディスク装置の消費電力を低減することができる。
【００１４】
本発明では、前記制御手段は、前記ディスク検出部により前記ディスク収納部に前記ディスクが装着されたことが検出されると、当該ディスク収納部に収納された前記ディスクの識別情報を再取得する情報再取得部を備えることが好ましい。
本発明によれば、再生または記録するディスクの識別情報を確実に取得することができる。
ここで、ディスクから識別情報を取得する際に、多数のディスクが存在する場合には、ディスク収納部に収納されたディスクが有する識別情報を必ずしも取得できない可能性がある。すなわち、ディスク収納部に収納されるディスクの識別情報ではない識別情報が、他のディスクから取得されてしまう可能性がある。これに対し、ディスク検出部がディスク収納部にディスクが装着されたことを検出した際に、情報再取得部が、ディスク収納部に装着されたディスクの識別情報を改めて取得するので、確実にディスク収納部に収納され、ディスク装置によって再生／記録されるディスクの識別情報を取得することができる。
【００１５】
本発明では、複数の音質および／または画質の設定情報が記憶された記憶手段を備え、前記制御手段は、前記識別情報に基づいて、前記記憶手段に記憶された設定情報を読み出す設定情報取得部と、取得された設定情報に基づいて、前記ディスク再生時の設定を行う再生設定部とを備えることが好ましい。
ここで、記憶手段としては、ＲＯＭ（Read Only Memory）、ＲＡＭ（Random Access Memory）、半導体メモリおよびハードディスク装置（Hard Disc Drive）等を例示することができる。
また、再生設定としては、音声情報の再生の場合は、当該音声情報の再生に適した音質、例えば、全周波数帯における所定周波数帯のレベルを増減させた音質の設定が挙げられる。また、画像情報の再生の場合は、ガンマ補正値等の画質の補正が挙げられる。
本発明によれば、ディスクに適した再生設定を行うことができる。また、予め使用者によって好みの音質および画質の設定情報が記憶手段に記憶されている場合には、使用者の好みの音質および画質で再生することが可能となり、ディスクの再生ごとに設定を行う必要を無くすことができる。従って、ディスクの再生操作をより簡略化することができ、特別な操作を必要とせずに、記録された映像情報および／または音声情報に適した画質および／または音質で、ディスクを再生することができる。
【００１６】
本発明では、前記ディスクの再生時の設定情報を含む詳細情報を提供する情報提供装置とネットワークを介して接続可能なインターフェースを備え、前記制御手段は、前記識別情報に基づく詳細情報を、前記インターフェースを介して、前記情報提供装置から取得する詳細情報取得部を備え、前記再生設定部は、取得した前記詳細情報に含まれる設定情報に基づいて、前記ディスク再生時の設定を行うことが好ましい。
ここで、詳細情報としては、前述の設定情報のほかに、当該ディスクに記録された曲名情報等を例示することができる。
本発明によれば、ネットワークを介して、情報提供装置から、ディスクの識別情報に基づく詳細情報を取得することが可能となる。また、詳細情報に含まれる設定情報を取得することができるので、前述の記憶手段に設定情報が記憶されていない場合でも、ディスクに記録された情報に適した画質および／または音声の設定を行うことができる。
【発明を実施するための最良の形態】
【００１７】
（１）外観構成
以下、本発明の一実施形態を図面に基づいて説明する。
図１は、本実施形態に係るディスク装置を示す概要斜視図である。
ディスク装置１は、ＣＤ（Compact Disc）およびＤＶＤ（Digital Versatile Disc）等のディスク型記録媒体（以下、「ディスク」と略す場合がある）９（図２参照）の再生、あるいは、当該ディスク９への情報の記録を行う情報再生／記録装置である。
【００１８】
ディスク装置１には、装置前面側（使用者に対向する側）の略中央下部に、ディスク９を装置内部に収納するディスク収納部２が設けられ、略中央上部に、所定の文字や画像が表示される表示部３が設けられている。また、ディスク収納部２の両脇には、電源スイッチ４と、後述するディスク９のＲＦＩＤタグ９３と通信するタグ通信部５が設けられている。さらに、図示を略したが、ディスク装置１の上面には、ディスク装置１に所定の操作を実施させる複数の操作スイッチを有する操作パネルが設けられている。
このうち、表示部３は、液晶パネルを備えて構成されており、ディスク装置１内部に設けられ、装置本体の動作制御を行う後述する制御基板７（図４参照）により駆動が制御されている。なお、制御基板７の構成については、後に詳述する。
【００１９】
ディスク収納部２は、ディスク９を収納し、当該ディスク９の再生および記録を行う部分である。このディスク収納部２の内部には、図１においては詳しい図示を省略するが、ディスク９を回転させる回転用モータ２１と、回転するディスクに記録されている情報を読み取り、また、当該ディスク９に対して情報を書き込む光ピックアップ２２とが設けられている。
【００２０】
回転用モータ２１は、本発明の駆動手段に相当し、ディスク９に接触して、当該ディスクを回転させる。
光ピックアップ２２は、本発明の情報読込／書込手段に相当し、回転するディスク９にレーザ光を照射するレーザ発振器と、ディスク９に反射したレーザ光を受けて記録情報を読み取る光ヘッドを備えて構成されている。このレーザ発振器は、ディスク９に対する情報の記録も行う。
これら回転用モータ２１および光ピックアップ２２は、後述する制御基板７により駆動が制御されている。そして、光ピックアップ２２によって読み出された情報は、制御基板７に出力され、当該制御基板７で再生処理される。また、制御基板７からディスク９に対する記録情報が光ピックアップ２２に出力され、当該光ピックアップ２２を構成するレーザ発振器によって、記録情報がディスク９に記録される。
【００２１】
また、ディスク収納部２には、図１に示すように、内部にディスク９を収納するためのディスクトレイ２３が設けられている。
このディスクトレイ２３の略中央には、ディスク９の形状に合わせた略円形状の凹部２３１が形成されている。この凹部２３１には、ディスク９が当該凹部２３１に装着されたことを検出するディスク検出部２４が設けられている。
【００２２】
ディスク検出部２４は、ディスクトレイ２３の凹部２３１のディスク９に対向する面上に配置されている。具体的に、このディスク検出部２４は、フォトダイオードとフォトトランジスタとを有するフォトセンサで構成されており、このフォトセンサが、凹部２３１に、当該凹部２３１に沿って複数埋め込まれている。そして、ディスク検出部２４は、すべてのフォトダイオードからディスク９に向かって射出した光束が、当該ディスク９で反射して、すべてのフォトトランジスタにより検出できるか否かで、ディスクトレイ２３の凹部２３１にディスク９が設置されたか否かを判定する。これにより、ディスク検出部２４を構成するフォトセンサの１つが誤ってディスク９の検出した場合でも、ディスク検出部２４全体がディスク９の装着を検出することを防ぐことができる。
このようなディスク検出部２４は、後述する制御基板７に電気的に接続され、ディスクトレイ２３にディスク９が装着されている場合には、制御基板７にＯＮ信号を出力し、装着されていない場合には、ＯＦＦ信号を出力するか、あるいは、信号を出力しないように構成されている。
【００２３】
このようなディスクトレイ２３は、ディスク装置１内に設けられた開閉手段としてのトレイ駆動用モータ２５（図４参照）の駆動により、ディスクトレイ２３がディスク収納部２に対して突没して、ディスク収納部２を開放および閉塞させる。このトレイ駆動用モータ２５は、後述する制御基板７により駆動が制御されている。
このトレイ駆動用モータ２５によるディスクトレイ２３の開動作および閉動作は、ディスク収納部２内部に設けられた開閉検出部２６（図４参照）により検出される。この開閉検出部２６は、光センサまたは感圧センサで構成することができる。この開閉検出部２６は、後述する制御基板７に、ディスクトレイ２３の進退、すなわち、ディスク収納部２の開閉状態を示す信号を出力している。
【００２４】
ディスク装置１の装置前面に設けられた電源スイッチ４およびタグ通信部５のうち、電源スイッチ４は、プッシュスイッチで構成され、当該スイッチを押下することにより、ディスク装置１の電源がＯＮ／ＯＦＦされる。
【００２５】
タグ通信部５は、ディスク９に設けられた後述するＲＦＩＤタグ９３と通信する情報通信部であり、ＲＦＩＤタグ９３に電波信号を送信して、当該ＲＦＩＤタグ９３に記憶された識別情報を受信する。また、タグ通信部５は、ＲＦＩＤタグ９３に情報としての電波信号を送信して、ＲＦＩＤタグ９３に当該情報を記憶させる。このタグ通信部５は、詳しい図示を省略するが、ディスク装置１に対して遠距離にあるディスク９に対して強い電波信号を出力して、当該ディスク９との通信を行う強電波送受信部と、ディスクトレイ２３に装着されたディスク９にのみ電波信号を出力して、当該ディスク９との通信を行う弱電波送受信部とを備えて構成されている。このうち、強電波送受信部は、ディスク装置１の装置前面に露出しており、弱電波送受信部は、ディスク収納部２に設けられている。
なお、このＲＦＩＤタグ９３の構成、および、当該ＲＦＩＤタグ９３との通信については、後に詳述する。
【００２６】
ディスク装置１の背面には、図示を略したが、コンピュータ接続用の接続端子、ビデオ入出力端子、オーディオ入出力端子、ネットワーク接続端子、および、アンテナ入力端子等の各種機器接続用の端子が設けられている。これら端子は、制御基板７に電気的に接続されている。
このうち、ネットワーク接続端子は、ＩＥＥＥ８０２．３ｉに準拠し、１０Ｂａｓｅ−Ｔおよび１００Ｂａｓｅ−ＴＸ等のＬＡＮ（Local Area Network）ケーブルが接続可能とされる端子と、ＩＴＵ−Ｔ  Ｖ．９０およびＫ５６Ｆｌｅｘ規格に準拠し、電話回線に接続されるモジュラージャックが接続可能とされる端子とを備えて構成されている。
【００２７】
また、ディスク装置１の背面には、本発明の記憶手段としてのＨＤＤ（Hard Disk Drive）６が取り付けられている。このＨＤＤ６は、ディスク９の識別情報に対応する詳細情報が記録される。具体的に、ＨＤＤ６に記録される詳細情報には、曲名情報、設定情報等が含まれる。このうち、設定情報には、音声情報再生時における音声出力のバランス、所定周波数の音域の増減、サラウンド方式等の音質設定情報、および、映像情報再生時におけるガンマ補正値、アスペクト比およびフレームレート等の画質設定情報等が含まれる。
【００２８】
（２）ディスクの構成
図２は、ディスク９の構成を示す図である。
ディスク装置１で利用されるディスク９は、対向する２枚の平面視略円形状のディスク基板との間に、信号記録面が介装されて形成されている。このディスク９には、当該ディスク９の中央に形成され、中央部分の略円形状の切欠で回転用モータ２１と係合する係合部９１と、この係合部９１の外周部分に形成される光学的に記録可能な領域である記録部９２とが設けられている。このうち、係合部９１には、ディスク９固有の識別情報が記録されたＲＦＩＤタグ９３が設けられている。
なお、詳しい図示を省略したが、ディスク９を使用しない場合は、ディスク９は、電磁シールで覆われたディスクケースに収納されており、ＲＦＩＤタグ９３による通信ができないようにされている。
【００２９】
図３は、ＲＦＩＤタグ９３の構成を示すブロック図である。
ＲＦＩＤタグ９３は、本発明の無線情報発信器であり、外部から入力する電波信号によって情報の読込および書込を行う。なお、本実施形態のＲＦＩＤタグ９３は、内部で駆動電力を生成するパッシブタグで構成されている。
【００３０】
ＲＦＩＤタグ９３は、図３に示すように、通信部９３１、制御部９３２、記憶部９３３および電力生成部９３４を備えて構成されている。
通信部９３１は、外部からの電波信号を受信して制御部９３２に出力し、また、制御部９３２を介して入力する記憶部９３３に記憶された情報を電波信号に変換して送信する。
制御部９３２は、通信部９３１を介して入力する信号に応じて、記憶部９３３から情報の読み込み、あるいは、当該記憶部９３３に対する情報の書き込みを制御する。
記憶部９３３は、当該ＲＦＩＤタグ９３が設けられたディスク９の固有の識別情報が記憶された領域であり、制御部９３２による読込および書込が可能に構成されている。
電力生成部９３４は、通信部９３１を介して入力する電波信号を利用して駆動電力を生成するものであり、生成した駆動電力は、制御部９３２および記憶部９３３に出力される。
【００３１】
ここで、ＲＦＩＤタグ９３の記憶部９３３に記憶される識別情報としては、例えば、ディスク９のメディア情報、情報種別、タイトル名、および、タイトル名に応じて設定される固有コード等が挙げられる。
このうち、メディア情報は、ディスク９が、どのようメディアであるのかが示されており、例えば、ＣＤ−Ｒ、ＣＤ−ＲＷ等のＣＤ、ＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭ等のＤＶＤ、Blu-ray Disc（登録商標）、ＨＤ−ＤＶＤ（High Definition-DVD）等のメディアの種類を示す。
情報種別は、音声情報のみが記録されているのか、音声情報および映像情報が記録されているのか、あるいは、コンピュータ等のデータ情報が記録されているのか等の情報を示す。
【００３２】
（３）制御基板７の構成
図４は、ディスク装置１の制御基板７の構成を示すブロック図である。
制御基板７は、本発明の制御手段に相当し、ＣＰＵ（Central Processing Unit）、ＲＯＭ（Read Only Memory）およびＲＡＭ（Random Access Memory）等が実装された回路基板として構成され、前述のように、ディスク装置１全体の駆動制御を行う。
この制御基板７は、入力情報を映像情報と音声情報に分離する情報分離系７１と、ネットワークインターフェース７２と、入力情報を処理するとともに装置全体の制御を行う主制御系７３と、ディスク装置１に設けられた各装置を個別に制御する駆動制御系７４とに、機能的に分類される。
このうち、ネットワークインターフェース７２は、前述のネットワーク接続端子が接続されており、主制御系７３の指示により、ネットワーク上に位置する情報配信装置との接続を仲介する。このネットワークインターフェース７２は、主制御系７３に接続されている。
【００３３】
情報分離系７１は、光ピックアップ２２および各接続端子と、主制御系７３との間を仲介し、入力する情報から映像情報および音声情報を分離する。この情報分離系７１は、ディスク情報分離部７１１と、ＰＣ情報分離部７１２と、チューナ情報分離部７１３とを備えて構成されている。
ディスク情報分離部７１１は、光ピックアップ２２により読み込んだディスク９の記録情報から、映像情報と音声情報とを分離する。
ＰＣ情報分離部７１２は、コンピュータ接続用の接続端子、例えば、ＵＳＢ端子と接続され、当該端子に接続されたＰＣ（Personal Computer）から入力する情報から映像情報と音声情報とを分離する。
チューナ情報分離部は、アンテナ入力端子から入力するテレビ等の信号から映像信号と音声信号とを分離する。
これらディスク情報分離部７１１、ＰＣ情報分離部７１２およびチューナ情報分離部７１３により分離された映像情報および音声情報は、主制御系７３の情報処理部７３５に出力される。
【００３４】
主制御系７３は、ディスク装置１の主要な駆動制御を行うものであり、主制御部７３１と、識別情報取得部７３２と、情報判定部７３３と、詳細情報取得部７３４と、情報処理部７３５と、情報出力部７３６とを備えて構成されている。
このうち、主制御部７３１は、ディスク検出部２４および開閉検出部２６と電気的に接続され、これらから入力する信号に基づいて、主制御系７３を構成する他の機能部７３２〜７３６および駆動制御系７４に、所定の制御信号を出力する。
【００３５】
識別情報取得部７３２は、タグ通信部５を介してディスク９のＲＦＩＤタグ９３から入力する当該ディスク９の識別情報を取得する。
情報判定部７３３は、識別情報取得部７３２で取得したディスク９の識別情報から、当該ディスク９が、ディスク装置１により再生または記録が可能であるかを判定する。
詳細情報取得部７３４は、ディスク９の識別情報に対応する詳細情報を、ＨＤＤ６から取得する。ここで、ＨＤＤ６に、当該識別情報に対応する詳細情報が記録されていない場合には、ネットワークインターフェース７２を介して、ネットワーク上の情報配信装置にアクセスして、当該情報配信装置から、ディスク９の識別情報のタイトル名および／または固有コードに対応する詳細情報を取得する。すなわち、詳細情報取得部７３４は、本発明の設定情報取得部および詳細情報取得部に相当する。
【００３６】
情報処理部７３５は、情報分離系７１を介して入力する信号情報を処理するものであり、映像情報を処理する映像処理部７３５１、および、音声情報を処理する音声処理部７３５２を備えている。また、この情報処理部７３５は、ＰＣ接続端子およびアンテナ入力端子から入力する信号情報を、ディスク９に記録するための処理をする記録処理部７３５３を備えている。
このうち、映像処理部７３５１および音声処理部７３５２は、主制御部７３１の制御の下、詳細情報取得部７３４で取得した詳細情報に含まれる設定情報、すなわち、画質設定情報および／または音質設定情報に基づいて、映像情報の画質処理、および、音声情報の音質処理等を行う。すなわち、映像処理部７３５１および音声処理部７３５２は、本発明の再生設定部に相当する。
情報出力部７３６は、情報処理部７３５で処理された映像情報および音声情報を、映像情報出力端子および音声情報出力端子を介して、当該端子に接続される機器に出力する。
【００３７】
駆動制御系７４は、主制御系７３と電気的に接続され、当該主制御系７３の制御の下、ディスク装置１を構成する装置の駆動制御を行うものである。
駆動制御系７４は、光ピックアップ２２の駆動を制御する光ピックアップ制御部７４１と、ディスク９を回転させる回転用モータ２１の駆動を制御する回転モータ制御部７４２と、ディスクトレイ２３を進退させるトレイ駆動用モータ２５の駆動を制御する開閉制御部７４３と、画像を形成し、当該画像を表示部３に表示させる表示制御部７４４と、タグ通信部５の駆動を制御して、ディスク９との通信を制御するタグ通信制御部７４５と、ＨＤＤの駆動を制御するＨＤＤ制御部７４６とを備えて構成されている。
【００３８】
このうち、光ピックアップ制御部７４１は、光ピックアップ２２を駆動させて、ディスク９に記録された情報の読込および／または書込を行う。この光ピックアップ制御部７４１の制御下で駆動する光ピックアップ２２により読み込まれたディスク９の記録情報は、情報分離系７１のディスク情報分離部７１１に出力される。また、光ピックアップ２２によりディスク９に対して情報の記録を行う場合には、主制御系７３の情報処理部７３５を構成する記録処理部７３５３から記録情報を取得して、ディスク９に対して当該記録情報の記録を行う。
また、開閉制御部７４３は、主制御系７３から入力する制御信号に応じて、トレイ駆動用モータ２５を駆動させ、ディスクトレイ２３をスライドして、ディスク収納部２を開閉する。
【００３９】
タグ通信制御部７４５は、主制御系７３を構成する主制御部７３１の制御下で、タグ通信部５の制御を行う。ここで、タグ通信制御部７４５は、主制御部７３１から、遠距離にあるディスク９と通信を行う制御信号が入力した場合には、タグ通信部５の強電波送受信部によりディスク９のＲＦＩＤタグ９３と通信する。一方、主制御部７３１から、ディスクトレイ２３に設置装着されたディスク９と通信を行う制御信号が入力した場合には、タグ通信部５の弱電波送受信部により、ディスク９のＲＦＩＤタグ９３と通信する。
【００４０】
（４）再生／記録待機時処理
図５および図６は、ディスク装置１の再生／記録待機時処理Ｓの処理フローを示す図である。このうち、図６は、図５から連続した処理を示している。
ディスク装置１は、電源がＯＮされ、再生または記録の待機状態でない場合には、再生／記録待機時処理を実行する。ここで、この再生／記録待機時処理を以下に説明する。
再生／記録待機時処理においては、ディスク装置１は、図５に示すように、最初に、ディスク収納部２にディスク９が収納されているかを判定する（処理Ｓ１１）。この処理Ｓ１１においては、制御基板７の主制御系７３を構成する主制御部７３１が、ディスク検出部２４からの信号および開閉検出部２６からの信号を判定する。
【００４１】
ここで、開閉検出部２６からの信号が、ディスク収納部２が閉塞されていることを示し、ディスク検出部２４からの信号が、ディスクトレイ２３にディスク９が設置されていることを示している場合には、主制御部７３１は、後述する識別情報の再取得処理（Ｓ２０）を実行する。
また、開閉検出部２６からの信号が、ディスク収納部２が開放されていることを示し、ディスク検出部２４からの信号が、ディスク９が設置されていることを示している場合には、主制御部７３１は、開閉制御部７４３に制御信号を出力する。この制御信号が入力した開閉制御部７４３は、トレイ駆動用モータ２５を駆動して、ディスクトレイ２３を閉動作させ、ディスク９をディスク収納部２に収納し、後述する識別情報の再取得処理（Ｓ２０）を実行する。
【００４２】
一方、開閉検出部２６からの信号が、ディスク収納部２が閉塞されていることを示し、ディスク検出部２４からの信号が、ディスクトレイ２３にディスク９が設置されていないことを示している場合には、主制御部７３１は、識別情報取得部７３２に制御信号を出力して、ディスク９からの識別情報の取得を試みる（識別情報取得処理Ｓ１２）。
【００４３】
図７は、ディスク装置１によるディスク９の識別情報取得処理Ｓ１２の処理フローを示す図である。なお、以下の説明では、ディスク装置１の近傍に、当該ディスク装置１と通信可能なディスク９が存在するものとして説明する。
識別情報取得処理Ｓ１２では、主制御部７３１は、ディスク９から識別信号を取得する制御信号を識別情報取得部７３２に出力し、当該制御信号が入力した識別情報取得部７３２は、タグ通信部５の強電波送受信部を介して、電波信号である識別情報要求コマンドを、ディスク９のＲＦＩＤタグ９３に対して出力する（処理Ｓ１２１）。
これに対し、コマンド受信待機状態（処理Ｓ１２２）にあったＲＦＩＤタグ９３は、識別情報要求コマンドを受信すると、電力生成部９３４により駆動電力を発生し（処理Ｓ１２３）、制御部９３２により、入力したコマンドの判定を行う（処理Ｓ１２４）。
【００４４】
ここで、ＲＦＩＤタグ９３の制御部９３２が、入力したコマンドが識別情報要求コマンドではないと判定した場合、すなわち、他の電波信号が入力したと判定した場合には、当該制御部９３２は、処理Ｓ１２２に戻り、コマンド受信待機状態を継続する。
一方、制御部９３２が、入力したコマンドが識別情報要求コマンドであると判定した場合には、当該制御部９３２は、記憶部９３３から識別情報を取得し、通信部９３１を介して、強電波送受信部に送信する（Ｓ１２５）。当該送信された識別情報は、ディスク装置１のタグ通信部５を介して、識別情報取得部７３２によって取得、保持される（処理Ｓ１２６）。
【００４５】
識別情報取得処理Ｓ１２を実行したディスク装置１の識別情報取得部７３２は、処理結果を主制御部７３１に出力し、当該主制御部７３１は、図５に示すように、ＲＦＩＤタグ９３から識別情報を取得したか否かを判定する（処理Ｓ１３）。このような取得判定は、識別情報要求コマンドの送信から、所定時間経過後に識別情報が取得できたか否かで判定することができる。なお、この時間は、適宜設定してよい。
ここで、主制御部７３１が、識別情報を取得できなかったと判定した場合には、当該主制御部７３１は、駆動制御系７４の表示制御部７４４にエラーを示す制御信号を生成出力する。この制御信号が入力した表示制御部７４４は、エラーメッセージを生成して、当該エラーメッセージを表示部３に表示させ（処理Ｓ３１）、処理Ｓ１２に戻り、他のディスク９に対して、識別情報取得処理Ｓ１２を実行する。
なお、処理Ｓ１３から処理Ｓ３１に移行した場合のメッセージは、識別情報の受信が可能なディスク９が、ディスク装置１の周囲に存在しない旨のメッセージとなる。
【００４６】
一方、主制御部７３１が、識別情報を取得できたと判定した場合には、当該主制御部７３１は、情報判定部７３３に制御信号を出力し、当該情報判定部７３３により、識別情報を送信したディスク９がディスク装置１に対応しているか、すなわち、ディスク装置１により再生または記録が可能であるかを判定させる（処理Ｓ１４）。具体的には、処理Ｓ１４では、情報判定部７３３は、識別情報に含まれるメディア情報および情報種別等の情報を判定する。この判定結果は、情報判定部７３３から主制御部７３１に出力される。
ここで、情報判定部７３３が、ディスク９がディスク装置１に対応していないと判定した場合には、主制御部７３１は、表示制御部７４４にエラーを示す制御信号を出力する。この制御信号が入力した表示制御部７４４は、エラーメッセージを生成して、当該エラーメッセージを表示部３に表示させ（処理Ｓ３１）、処理Ｓ１２に戻り、他のディスク９に対して、識別情報取得処理Ｓ１２を実行する。
なお、処理Ｓ１４から処理Ｓ３１に移行した場合のメッセージは、再生または記録可能なディスク９がディスク装置１の周囲に存在しない旨のメッセージとなる。
【００４７】
一方、情報判定部７３３が、ディスク９がディスク装置１に対応していると判定した場合には、主制御部７３１は、表示制御部７４４に識別情報を表示させる制御信号を出力する。この制御信号が入力した表示制御部７４４は、識別情報に含まれるタイトル名およびメディア情報等が含まれる画像を形成し、当該画像を表示部３に表示させる（処理１５）。
この処理Ｓ１５の後、主制御部７３１は、駆動制御系７４の開閉制御部７４３に制御信号を出力する。この制御信号が入力した開閉制御部７４３は、トレイ駆動用モータ２５を駆動して、ディスクトレイ２３をディスク収納部２から突出させて、ディスク収納部２を開放し（処理Ｓ１６）、ディスクトレイ２３にディスク９が設置されるのを待機する（処理Ｓ１７）。すなわち、主制御部７３１および開閉制御部７４３が、本発明の開動作制御部に相当する。
【００４８】
処理Ｓ１７により、ディスク９の設置待機状態の主制御部７３１は、ディスク検出部２４からの信号を監視し、ディスク９がディスクトレイ２３に設置、装着されたか否かを判定する（処理Ｓ１８）。
ここで、主制御部７３１が、ディスク検出部２４から入力する信号からディスク９が設置されていないと判定した場合には、処理Ｓ１７に戻り、ディスクトレイ２３へのディスク９の設置を待機する。
一方、主制御部７３１が、ディスク９が設置されたと判定した場合には、主制御部７３１は、タグ通信部５に制御信号を出力して、当該タグ通信部５の強電波送受信部によるディスク９のＲＦＩＤタグ９３へのコマンドの送受信、すなわち、ＲＦＩＤタグ９３との通信を規制する（処理Ｓ１９）。すなわち、主制御部７３１は、本発明の情報取得規制部にも相当する。
これにより、ディスク装置１と通信可能な他のディスク９から識別情報が受信されることを防ぐことができ、ディスク９と識別情報との不一致を防ぐことができる。また、通信規制を行うので、不要な電力消費を抑えることができ、ディスク装置１の省電力化を図ることができる。
【００４９】
この処理Ｓ１９の後、主制御部７３１は、図６に示すように、ディスクトレイ２３に設置装着されたディスク９から、再び識別情報の取得処理を実行する（識別情報再取得処理Ｓ２０）。すなわち、主制御部７３１は、本発明の情報再取得部にも相当する。
この処理Ｓ２０では、ＲＦＩＤタグ９３との通信が、タグ通信部５の弱電波送受信部を介して行われ、ディスクトレイ２３に設置されたディスク９のＲＦＩＤタグ９３とだけ通信を行うことを除けば、前述の処理Ｓ１２と略同じであるので、説明を省略する。
この識別情報再取得処理Ｓ２０により、再生または記録するディスク９に対応した識別情報を確実に取得することができるので、ディスク装置１の誤動作を抑制することができるとともに、再生時には、当該ディスク９に応じた画質・音質設定を行うことができる。
【００５０】
この識別情報再取得処理Ｓ２０の後、主制御部７３１は、前述の処理Ｓ１３と同様に、識別情報を受信したか否かの判定を行う（処理Ｓ２１）。
ここで、主制御部７３１が、ディスク収納部２に収納されたディスク９から識別情報を受信しなかったと判定した場合には、主制御部７３１は、表示制御部７４４にエラーを示す制御信号を出力して、表示部３にエラーメッセージを表示して（処理Ｓ３２）、再生／記録待機時処理Ｓを終了する。
なお、処理Ｓ２１から処理Ｓ３２に移行した場合のメッセージは、ディスク収納部２に収納されたディスク９から識別情報の取得ができなかった旨のメッセージとなる。
【００５１】
一方、主制御部７３１が、識別情報を受信したと判定した場合には、前述の処理Ｓ１４と同様に、情報判定部７３３は、ディスクトレイ２３に設置されたディスク９が、ディスク装置１に対応しているかを判定し（処理Ｓ２２）、当該判定結果を主制御部７３１に出力する。
ここで、情報判定部７３３が、ディスク９がディスク装置１に対応していないと判定した場合には、主制御部７３１は、表示制御部７４４にエラーを示す制御信号を出力して、表示部３にエラーメッセージを表示して（処理Ｓ３２）、再生／記録待機時処理Ｓを終了する。
なお、処理Ｓ２２から処理Ｓ３２に移行した場合のメッセージは、ディスクトレイ２３に設置されたディスク９がディスク装置１に対応していない旨のメッセージとなる。
【００５２】
一方、情報判定部７３３が、ディスクトレイ２３に設置されたディスク９がディスク装置１に対応していると判定した場合には、主制御部７３１は、開閉制御部７４３に制御信号を出力する。この制御信号が入力した開閉制御部７４３は、トレイ駆動用モータ２５を駆動して、ディスクトレイ２３をディスク収納部２に没入させて、ディスク収納部２を閉塞する（処理Ｓ２３）。これにより、主制御部７３１により識別情報を取得したディスク９が、ディスク収納部２に収納される。すなわち、主制御部７３１および開閉制御部７４３が、本発明の閉動作制御部に相当する。
このような処理Ｓ２３により、識別情報からディスク９の再生／記録が可能であると判定された場合には、ディスク９が設置されたディスクトレイ２３をディスク収納部２に没入させて、当該ディスクをディスク収納部２内に自動的に収納するので、使用者の操作を簡略化することができる。従って、不慣れな使用者でも、簡単にディスク装置１を操作することができる。
なお、ディスク収納部２の開動作および閉動作は、図示を略したが、使用者による操作でも可能とされている。
【００５３】
この処理Ｓ２３の後、主制御部７３１は、情報判定部７３３に制御信号を出力し、当該情報判定部７３３は、取得した識別情報に含まれる情報種別等を判定して、ディスク収納部２に収納したディスク９が、既に記録部９２に情報が記録された再生用ディスクであるのか、あるいは、記録部９２への情報の追記が可能な記録用ディスクであるのかを判定し（処理Ｓ２４）、判定結果を主制御部７３１に出力する。
ここで、情報判定部７３３の判定結果から、主制御部７３１が、ディスク９が記録用ディスクであると判定した場合には、当該ディスク９に対する情報記録の待機状態として（処理Ｓ４１）、再生／記録待機時処理Ｓを終了する。
一方、主制御部７３１が、ディスクが再生用ディスクであると判定した場合には、主制御部７３１は、詳細情報取得部７３４に制御信号を出力して、当該詳細情報取得部７３４により、ＨＤＤ６、または、ネットワーク上の情報配信装置から、詳細情報を取得する（処理Ｓ２５）。
【００５４】
図８は、詳細情報取得部７３４による詳細情報取得処理Ｓ２５の処理フローを示す図である。
詳細情報取得処理Ｓ２５では、詳細情報取得部７３４は、まず、駆動制御系７４のＨＤＤ制御部７４６に駆動信号を出力してＨＤＤ６を駆動させる。そして、当該ＨＤＤ６から、ディスク収納部２に収納されたディスク９から取得した識別情報に含まれるタイトル情報および固有コードから、これらに対応する設定情報を含む詳細情報を検索し（処理Ｓ２５１）、詳細情報が記録されているかを判定する（処理Ｓ２５２）。
ここで、詳細情報取得部７３４が、識別情報に対応する詳細情報がＨＤＤ６に記録されていると判定した場合には、当該詳細情報を取得する（処理Ｓ２５５）。
【００５５】
一方、詳細情報取得部７３４が、詳細情報が記録されていないと判定した場合には、ネットワークインターフェース７２を介して、ネットワーク上の情報配信装置に通信接続可能であるかを判定する（処理Ｓ２５３）。
ここで、詳細情報取得部７３４が、ネットワーク接続が可能でないと判定した場合には、詳細情報取得処理を終了し、詳細情報取得部７３４は、処理結果を主制御部７３１に出力する。
一方、詳細情報取得部７３４が、ネットワーク接続が可能であると判定した場合には、ネットワーク上の情報配信装置にアクセスして、詳細情報の取得が可能であるかを判定する（処理Ｓ２５４）。
【００５６】
ここで、詳細情報取得部７３４が、情報配信装置からの詳細情報の取得が不可能であると判定した場合には、ネットワーク接続を遮断して、詳細情報取得処理を終了する。この処理結果は、詳細情報取得部７３４から主制御部７３１に出力される。このような判定処理は、情報配信装置に対して、詳細情報要求信号を出力した後の経過時間を計測し、所定の時間が経過した後に、情報配信装置から応答があるか無いかで判定することができる。なお、時間は適宜設定してよい。
一方、詳細情報取得部７３４が、情報配信装置からの詳細情報の取得が可能であると判定した場合には、当該情報配信装置から、取得した識別情報に応じた詳細情報を取得する（処理Ｓ２５５）。
【００５７】
この処理Ｓ２５５の後、詳細情報取得部７３４は、取得した詳細情報が、ＨＤＤ６から取得したものであるのか、あるいは、ネットワークから取得したものであるのかを判定する（処理Ｓ２５６）。
ここで、詳細情報がＨＤＤ６から取得したものである場合には、詳細情報取得部７３４は、詳細情報取得処理Ｓ２５を終了して、処理結果を主制御部７３１に出力する。
一方、詳細情報がネットワークを介して取得したものである場合には、詳細情報取得部７３４は、ＨＤＤ制御部７４６を介して、取得した詳細情報を、識別情報に対応するようにＨＤＤ６に記録して（処理Ｓ２５７）、詳細情報取得処理を終了する。この処理結果は、詳細情報取得部７３４から、主制御部７３１に出力される。
【００５８】
このような詳細情報取得処理Ｓ２５により、再生または記録に係るディスク９の識別情報に応じた設定情報を含む詳細情報を取得できるので、当該ディスク９に適した再生時の画質設定および／または音質設定処理を行うことができる。また、使用者が、ディスク９の再生のたびに、このような設定を行う必要がなくなるので、ディスク装置１の操作性を一層向上することができる。さらに、ＨＤＤ６に詳細情報が記録されていない場合には、ネットワーク上の情報配信装置にアクセスして詳細情報を取得するので、様々なディスクに対応することができ、当該ディスクに記録された情報に応じた設定を自動的に行うことができる。
【００５９】
詳細情報取得処理Ｓ２５の後、主制御部７３１は、図６に示すように、詳細情報が取得できたか否かを判定する（処理Ｓ２６）。
ここで、主制御部７３１が、詳細情報の取得ができなかったと判定した場合には、表示制御部７４４にエラー信号を出力し、当該表示制御部７４４により、表示部３にエラーメッセージを表示して（処理Ｓ３２）、再生／記録待機時処理Ｓを終了する。
なお、処理Ｓ２６から処理Ｓ３２に移行した場合のメッセージは、詳細情報の取得ができなかった旨のメッセージとなる。
一方、主制御部７３１が、詳細情報の取得ができたと判定した場合には、当該詳細情報に含まれる画質情報および／または音質情報に応じた情報処理部７３５の設定を行い（処理Ｓ２７）、再生／記録待機時処理Ｓを終了する。
【００６０】
以上のような再生／記録待機時処理Ｓにより、ディスク装置１が、当該ディスク装置１に対応するディスク９を検出した場合には、自動的にディスクトレイ２３を開動作させて、ディスク収納部２を開放するので、ディスク９のディスク収納部２への収納を容易に行うことができる。これにより、ディスク装置１の操作に不慣れな者であっても、簡易にディスク装置１を操作することができる。
また、ディスクトレイ２３に、ディスク装置１に対応するディスク９を設置した場合に、自動的にディスクトレイ２３が閉動作して、当該ディスク９をディスク収納部２に収納するので、ディスク装置１の操作性を一層向上することができる。
【００６１】
また、ディスク９の再生時には、当該ディスク９のＲＦＩＤタグ９３に記録された識別情報に応じた詳細情報を取得し、当該詳細情報に含まれる設定情報、すなわち、画質設定情報および／または音質設定情報に応じた処理が行われるので、ディスク９に記録された映像情報および／または音声情報に適した再生を行うことができる。
このような詳細情報は、ネットワーク上の情報配信装置から取得でき、また取得した詳細情報は、ＨＤＤ６に記録することができるので、様々なディスク９の識別情報に対応することができる。また、ＨＤＤ６を備えたことにより、情報配信装置から取得した詳細情報を記録することができるので、ディスク９の再生のたびにネットワークに接続する必要がなくなるので、操作性を一層向上することができる。
【００６２】
なお、詳細情報は、使用者の操作によりディスク再生時の画質設定および／または音質設定が変更された場合には、当該画質設定および音質設定に応じた画質設定情報および音質設定情報が生成される。そして、これら画質設定情報および音質設定情報により、ＨＤＤ６に記録された詳細情報に含まれる画質情報および音質情報を更新されるように構成されている。これによれば、使用者が設定した詳細情報を、再度設定しなおすことを防ぐことができるので、使用者の好みに応じた再生設定を実行することができる。従って、ディスク装置１の操作性を、より一層を向上することができる。
【００６３】
（５）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６４】
前記実施形態では、制御基板７の主制御系７３を構成する主制御部７３１は、ディスク検出部２４からディスク９がディスクトレイ２３に設置された旨の信号が入力すると、処理Ｓ２３において、開閉制御部７４３を介して、トレイ駆動用モータ２５の駆動をさせて、ディスクトレイ２３をディスク収納部２内部に収納して、ディスク収納部２を閉塞するとしたが、本発明はこれに限らない。すなわち、受信した識別情報から、ディスク９がディスク装置１に対応する場合に、ディスク収納部２を開放する構成であれば、使用者のボタンおよびスイッチ操作等によって、ディスク収納部２を閉塞する構成であってもよい。
【００６５】
前記実施形態では、処理Ｓ１８により、ディスクトレイ２３へのディスク９の設置が検出されると、タグ通信部５の強電波送受信部によるコマンドの送受信、すなわち、識別情報の取得を規制するとしたが、本発明は、これに限らない。なお、このように識別情報の取得を規制すれば、ディスクトレイ２３に設置されたディスク９以外のディスクからの識別情報が受信されることを抑えることができ、ディスク９の再生時の処理に不具合が発生することを抑制することができる。
【００６６】
前記実施形態では、ディスクトレイ２３にディスク９が設置され、当該ディスク９から識別情報を再取得して判定した後に、処理Ｓ２３により、ディスクトレイ２３をディスク収納部２に収納して、ディスク収納部２を閉塞するとしたが、本発明はこれに限らず、ディスクトレイ２３へのディスク９の設置装着が検出された後に、当該ディスクトレイ２３をディスク収納部２に収納し、この後に、識別情報を再取得するようにしてもよい。
また、ディスク９がディスクトレイ２３に設置された後に、当該ディスク９から識別情報の再取得を行う識別情報再取得処理Ｓ２０を実行するとしたが、本発明はこれに限らず、処理Ｓ２０は行わないようにしてもよい。なお、処理Ｓ２０により、識別情報の再取得を行う場合には、ディスク収納部２に収納されたディスクと、識別情報を取得したディスクとが一致するので、識別情報に対応する画質設定情報および音質設定情報に基づく設定処理を誤りなく実行することができる。
【００６７】
前記実施形態では、記憶手段としてＨＤＤ６を備える構成としたが、本発明はこれに限らず、ディスク９の識別情報に対応する詳細情報を記録可能な容量を有する記憶手段であれば、他の構成でもよい。例えば、追記可能なフラッシュメモリで構成してもよい。この場合、記憶手段としての装置を小型化できるので、ディスク装置１全体の小型化を図ることができる。
なお、記憶手段としてＨＤＤ６を備える構成であれば、識別情報に対応する大容量の設定情報および詳細情報を記憶することが可能である。
【００６８】
前記実施形態では、ディスク装置１はネットワークインターフェース７２を介して、ネットワークに接続されるとしたが、必ずしもこのような構成を備えていなくてもよい。なお、ディスク装置１が、ネットワーク接続可能に構成され、ネットワーク上の情報配信装置にアクセス可能であれば、当該情報配信装置から設定情報を含む詳細情報を取得することができるので、多様なディスクの識別情報に対応した詳細情報を取得することができる。
【００６９】
前記実施形態では、ディスク収納部２は、ディスクトレイ２３が装置前面側に突没することによって、当該ディスク収納部２が開閉する構成としたが、本発明はこれに限らず、ディスクトレイ２３の進退方向は、当該ディスクトレイ２３にディスク９が設置可能であれば、適宜設定してよい。また、ディスク装置１は、フロントローディングタイプのディスク装置として構成したが、ディスク収納部を覆うように設けられた蓋が開閉するトップローディングタイプのディスク装置として構成してもよい。
【００７０】
前記実施形態では、ディスク９に設けられたＲＦＩＤタグ９３は、電力生成部９３４を備えるパッシブタグで構成されるとしたが、電池を備えるアクティブタグで構成してもよい。この場合、ディスク装置１との遠距離通信が可能となる。なお、パッシブタグで構成すれば、ＲＦＩＤタグ９３を小型化できる。
【産業上の利用可能性】
【００７１】
本発明は、ディスク収納部を開閉させてディスクを収納し、当該ディスクの再生および／または記録を行うディスク再生／記録装置に好適に利用できる。
【図面の簡単な説明】
【００７２】
【図１】本発明の一実施形態に係るディスク装置を示す概要斜視図。
【図２】前記実施形態におけるディスクを示す平面図。
【図３】前記実施形態におけるディスクのＲＦＩＤタグの構成を示すブロック図。
【図４】前記実施形態におけるディスク装置の制御基板の構成を示すブロック図。
【図５】前記実施形態における再生／記録待機時処理の処理フローを示す図。
【図６】前記実施形態における再生／記録待機時処理の処理フローを示す図。
【図７】前記実施形態における識別情報取得処理の処理フローを示す図。
【図８】前記実施形態における詳細情報取得処理の処理フローを示す図。
【符号の説明】
【００７３】
１…ディスク装置、２…ディスク収納部、７…制御基板（制御手段）、６…ＨＤＤ（記憶手段）、９…ディスク、２１…回転用モータ（駆動手段）、２２…光ピックアップ（情報読取／書込手段）、２４…ディスク検出部、２５…トレイ駆動用モータ（開閉手段）、７２…ネットワークインターフェース（インターフェース）、９３…ＲＦＩＤタグ（無線情報発信器）、７３１…主制御部（情報取得規制部、情報再取得部、開動作制御部、閉動作制御部）、７３２…識別情報取得部、７３３…情報判定部、７３４…詳細情報取得部（設定情報取得部）、７４３…開閉制御部（開動作制御部、閉動作制御部）、７３５１…映像処理部（再生設定部）、７３５２…音声処理部（再生設定部）。
【図１】
2006147027.tif 000003
【図２】
2006147027.tif 000004
【図３】
2006147027.tif 000005
【図４】
2006147027.tif 000006
【図５】
2006147027.tif 000007
【図６】
2006147027.tif 000008
【図７】
2006147027.tif 000009
【図８】
2006147027.tif 000010